(57)【要約】【課題】重量計の持ち運びを容易にする。【解決手段】板部材１１〜１３は、重量計２０の計量皿の上に着脱可能に取り付けられる。連結部材は、板部材１１〜１３を展開しかつ折り畳めるように、板部材１１〜１３を連結する。【選択図】図１
2014115091.tif 000002
【特許請求の範囲】
【請求項１】
重量計の計量皿の上に１または２以上が着脱可能に取り付けられる複数の板部材と、
複数の前記板部材を展開しかつ折り畳めるように連結する連結部材と、
を有することを特徴とする重量計計量皿。
【請求項２】
複数の前記板部材は、展開された状態で前記計量皿の上に取り付けられ、乳児が乗せられることを特徴とする請求項１記載の重量計計量皿。
【請求項３】
複数の前記板部材の少なくとも１つは、磁性を帯びていることを特徴とする請求項１または２に記載の重量計計量皿。
【請求項４】
磁性を帯びた前記板部材は、金属製の前記計量皿に着脱可能に取り付けられることを特徴とする請求項３記載の重量計計量皿。
【請求項５】
前記計量皿が非金属の場合、前記計量皿には金属製の着脱用板部材が接着部材によって取り付けられ、
磁性を帯びた前記板部材は、前記着脱用板部材に着脱可能に取り付けられることを特徴とする請求項３記載の重量計計量皿。
【発明の詳細な説明】
【技術分野】
【０００１】
本件は、重量計の計量皿に着脱可能に取り付けられる重量計計量皿に関する。
【背景技術】
【０００２】
従来、被計量物が葱や牛蒡のような長物野菜、その他の長尺物であっても、取り扱い性・作業性を損なうことなく、安定した状態で計量できる葱や牛蒡等の長尺物を計量する長尺物用秤が提供されている（例えば、特許文献１参照）。
【０００３】
また、従来、大量の被測定物を入れることができる計量容器を、使用しないときに小型化して装置本体に固定することができるようにし、利便性を高くした計量容器を備えた計量装置が提供されている（例えば、特許文献２参照）。
【先行技術文献】
【特許文献】
【０００４】
【特許文献１】特開平１１−２４１９４４号公報
【特許文献２】実登３１７２４７９号公報
【発明の概要】
【発明が解決しようとする課題】
【０００５】
しかし、従来の重量計には、計量皿の大きいものがある。計量皿の大きい重量計は、持ち運びが困難であるという問題がある。
【０００６】
例えば、乳児の体重を計測する体重計は、乳児を寝かせて体重を量れるよう、計量皿が大きい。例えば、計量皿は、縦×横が３０ｃｍ×７０ｃｍの大きさを有するものがある。しかし、例えば助産師や保健師は、このような大きな重量計を持って、乳児のいる家を訪問しなければならず、大変である。
本件はこのような点に鑑みてなされたものであり、重量計を持ち運びし易くする重量計計量皿を提供することを目的とする。
【課題を解決するための手段】
【０００７】
上記課題を解決するために、重量計計量皿が提供される。この重量計計量皿は、重量計の計量皿の上に１または２以上が着脱可能に取り付けられる複数の板部材と、複数の前記板部材を展開しかつ折り畳めるように連結する連結部材と、を有する。
【発明の効果】
【０００８】
開示の重量計計量皿によれば、重量計の持ち運びが容易となる。
【図面の簡単な説明】
【０００９】
【図１】第１の実施の形態に係る重量計計量皿の斜視図である。
【図２】重量計計量皿を折り畳んだ状態の側面図である。
【図３】重量計計量皿の展開途中を示した側面図である。
【図４】板部材を展開した状態を示した斜視図である。
【図５】乳児用体重計の斜視図である。
【図６】板部材の一部側面図である。
【図７】図６の板部材を折り畳んだ状態の一部を示した図である。
【図８】図６の板部材を展開した状態の一部側面図である。
【図９】囲いを有した重量計計量皿の斜視図である。
【図１０】囲いを形成する板部材を折り畳んだ状態の斜視図である。
【図１１】図１０の板部材をさらに折り畳んだ状態の斜視図である。
【図１２】囲いを形成する板部材を折り畳んだ状態の一部を示した図である。
【図１３】囲いを形成する板部材を展開した状態の一部を示した図である。
【図１４】囲いを形成する板部材を折り畳んだ状態を示した図である。
【図１５】第２の実施の形態に係る重量計計量皿の斜視図である。
【図１６】重量計計量皿を縮めた状態の斜視図である。
【図１７】重量計計量皿の一部平面図である。
【図１８】重量計計量皿の一部底面図である。
【図１９】箱部材の開口した側面側から見た図である。
【図２０】もう一方の箱部材の斜視図である。
【図２１】もう一方の箱部材の側断面図である。
【図２２】第３の実施の形態に係る重量計計量皿の斜視図である。
【図２３】重量計計量皿の閉じる状態を示す側面図である。
【発明を実施するための形態】
【００１０】
以下、実施の形態を、図面を参照して詳細に説明する。
［第１の実施の形態］
【００１１】
図１は、第１の実施の形態に係る重量計計量皿の斜視図である。図１には、重量計計量皿１０の他に、重量計２０が示してある。重量計計量皿１０の上には、例えば、乳児が乗せられ、重量計２０によって、乳児の体重が量られる。
【００１２】
図１に示すように、重量計計量皿１０は、板部材１１〜１３を有している。板部材１１〜１３は、重量計２０が有する計量皿（図示されていない）の上に、１または２以上が着脱可能に取り付けられる。例えば、図１の例の場合、板部材１２が、重量計２０が有する計量皿の上に、着脱可能に取り付けられるようになっている。
【００１３】
板部材１１〜１３は、例えば、磁性を有している。これにより、重量計２０が有する計量皿が、例えば、鉄などの金属で形成されている場合、重量計２０の計量皿に、板部材１１〜１３を着脱可能に取り付けることができる。
【００１４】
例えば、図１の例において、板部材１２が磁性を有しているとする。また、重量計２０の有する計量皿は、金属で形成されているとする。この場合、重量計２０の有する計量皿に、重量計計量皿１０を着脱可能に取り付けることができる。もちろん、板部材１１，１３も磁性を有していてもよい。
【００１５】
板部材１１〜１３は、例えば、四角形状を有し、樹脂や金属で形成される。例えば、板部材１１〜１３は、アクリル板や鉄板で形成される。板部材１１〜１３がアクリル板の場合、例えば、マグネットシートなどを板部材１１〜１３に張り付けて、重量計２０の金属製の計量皿に着脱できるようにする。
【００１６】
重量計計量皿１０は、図示していないが、板部材１１〜１３を展開し、かつ折り畳めるように連結する連結部材を有している。連結部材は、例えば、蝶番である。
【００１７】
図２は、重量計計量皿を折り畳んだ状態の側面図である。図２には、図１で示した重量計計量皿１０の板部材１１〜１３が示してある。また、図２には、板部材１１〜１３を展開しかつ折り畳めるように連結する連結部材１４，１５が示してある。
連結部材１４，１５は、上記したように、例えば、蝶番である。蝶番は、例えば、０度〜１８０度の範囲で開閉する蝶番である。
【００１８】
連結部材１４は、板部材１１，１２の板厚側の面（以下、板厚面と呼ぶことがある）に取り付けられる。これにより、板部材１１，１２は、連結部材１４によって展開し（１８０度に開き）かつ折り畳める（０度に閉じる）ことができる。
【００１９】
連結部材１５は、板部材１２，１３の板厚面に取り付けられる。これにより、板部材１２，１３は、連結部材１５によって展開し（１８０度に開き）かつ折り畳める（０度に閉じる）ことができる。
図３は、重量計計量皿の展開途中を示した側面図である。図３において、図２と同じものには同じ符号が付してある。
【００２０】
図３の矢印Ａ１１に示すように、板部材１１を板部材１２に対して開く。また、図３の矢印Ａ１２に示すように、板部材１３を板部材１２に対して開く。これにより、板部材１１〜１３は、図２に示した折り畳んだ状態から、図１に示す展開した状態にすることができる。
【００２１】
図４は、板部材を展開した状態を示した斜視図である。図４において、図３と同じものには同じ符号が付してある。なお、図４には、板部材１１〜１３の他に、重量計２０も示している。また、図４では、板部材１１〜１３を連結している連結部材１４，１５の図示を省略している。
【００２２】
板部材１１は、連結部材１４によって、板部材１２に対し、１８０度より開かないようになっている。また、板部材１３は、連結部材１５によって、板部材１２に対し、１８０度より開かないようになっている。これにより、板部材１１〜１３は、図４に示すように、水平面を形成するように展開される。
【００２３】
板部材１１〜１３のそれぞれは、例えば、縦×横が３０ｃｍ×２５ｃｍの大きさを有している。また、板部材１１〜１３の厚さは、例えば、７ｍｍである。板部材１１〜１３を、図４に示すように、水平面となるように展開すると、重量計計量皿１０は、縦×横が３０ｃｍ×７５ｃｍの大きさを有する。
【００２４】
重量計２０は、図４に示すように、計量皿２１を有している。計量皿２１は、例えば、重量計２０が本来有している計量皿である。重量計２０は、例えば、縦×横×高さが３０ｃｍ×２５ｃｍ×１０ｃｍの大きさを有する。
【００２５】
ここで、重量計２０の計量皿２１が、例えば、金属であり、板部材１２が、例えば、磁性を有しているとする。この場合、重量計計量皿１０は、図４の矢印Ａ１３に示すように、計量皿２１において着脱することができる。
【００２６】
重量計計量皿１０を折り畳む場合、例えば、図３に示した矢印Ａ１１，Ａ１２方向とは逆の方向に板部材１１，１３を折り畳む。これにより、重量計計量皿１０は、図２に示したように、折り畳むことができる。つまり、重量計計量皿１０は、例えば、縦×横の大きさを、３０ｃｍ×７５ｃｍから３０ｃｍ×２５ｃｍに小さくすることができる。
【００２７】
図５は、乳児用体重計の斜視図である。図５に示すように、乳児用体重計３０は、乳児用計量皿３１および重量計３２を有している。乳児用計量皿３１は、例えば、ねじによって重量計３２に固定され、重量計３２と一体となっている。
【００２８】
乳児用計量皿３１は、折り畳み機能のない計量皿であり、例えば、縦×横×高さが３０ｃｍ×７０ｃｍ×１０ｃｍの大きさを有している。また、重量計３２は、例えば、縦×横×高さが３０ｃｍ×２５ｃｍ×１０ｃｍの大きさを有している。このため、乳児用体重計３０は、例えば、縦×横×高さが３０ｃｍ×７０ｃｍ×２０ｃｍとなる。
【００２９】
ここで、例えば助産師や保健師は、乳児のいる家へ訪問し、乳児の体重を量ることがある。このとき、助産師や保健師は、縦×横×高さが３０ｃｍ×７０ｃｍ×２０ｃｍの大きさの乳児用体重計３０を持って家を訪問しなければならず、持ち運びが大変である。
【００３０】
これに対し、図１〜図４で説明した重量計計量皿１０は、重量計２０から取り外して折り畳むことができる。すなわち、助産師や保健師は、折り畳んだ状態の重量計計量皿１０と重量計２０とを持って乳児のいる家を訪問でき、持ち運びが容易となる。
【００３１】
このように、重量計計量皿１０は、重量計２０の有する計量皿２１の上に、１または２以上が着脱可能に取り付けられる複数の板部材１１〜１３を有する。また、重量計計量皿１０は、複数の板部材１１〜１３を展開しかつ折り畳めるように連結する連結部材１４，１５を有する。これにより、重量計２０の持ち運びが容易となる。
【００３２】
また、複数の板部材１１〜１３の少なくとも１つが、磁性を帯びていることにより、ユーザは、低コストで重量計２０の持ち運びが容易となる。例えば、図５に示した乳児用体重計３０は、図４に示した重量計２０の計量皿２１に、乳児用計量皿３１をねじで固定して形成されていることが多い。また、計量皿２１は、金属である場合が多い。
【００３３】
従って例えば、乳児用体重計３０をすでに所持している助産師や保健師は、重量計計量皿１０を購入するだけ持ち運びが容易となり、コスト低減できる。例えば、乳児用体重計３０をすでに所持している助産師や保健師は、ねじで固定されている乳児用計量皿３１を重量計３２から取り外し、重量計計量皿１０を購入すればよい。これにより、助産師や保健師は、低コストで重量計３２の持ち運びが容易となる。
【００３４】
また、重量計２０の計量皿２１が非金属の場合であっても、計量皿２１に金属製の着脱用板部材を接着部材で取り付けることにより、ユーザは、低コストで重量計２０の持ち運びが容易となる。
【００３５】
例えば、重量計２０の計量皿２１が非金属の場合、計量皿２１の上に両面テープで金属板を取り付ける。これにより、磁性を帯びた板部材１１〜１３によって、重量計計量皿１０は、重量計２０に着脱可能となる。
［変形例１］
【００３６】
上記では、板部材１１〜１３は、連結部材１４，１５によって１８０度より開かないとしたが、板部材１１〜１３の形状によって、１８０度より開かないようにすることもできる。
【００３７】
図６は、板部材の一部側面図である。図６には、図３で示した板部材１１，１２の一部と連結部材１４とを示している。図６では、板部材１３と連結部材１５の図示は省略している。
【００３８】
図６に示す面Ｓ１１は、板部材１１を板部材１２に対して閉じたとき、板部材１１の板部材１２と接触しない側の面を示している。面Ｓ１２は、板部材１１を板部材１２に対して閉じたとき、板部材１２の板部材１１と接触しない側の面を示している。突起部１１ａは、図６に示すように、板部材１１の面Ｓ１１の縁から、連結部材１４が取り付けられている板厚面側方向へ突出するように形成されている。
【００３９】
図７は、図６の板部材を折り畳んだ状態の一部を示した図である。図７は、図６の板部材１１を板部材１２に対して折り畳み、図６の左側から右側方向を見た板部材１１，１２を示している。図７において、図６と同じものには同じ符号を付している。
【００４０】
上記したように、板部材１１は、突起部１１ａを有している。突起部１１ａは、板部材１１の面Ｓ１１の縁から、連結部材１４が取り付けられている板厚面側方向（紙面表側方向）へ突出するように形成されている。
図８は、図６の板部材を展開した状態の一部側面図である。図８において、図６と同じものには同じ符号が付してある。
【００４１】
板部材１１を板部材１２に対し、１８０度展開すると、突起部１１ａが板部材１２の面Ｓ１２に接触する。これにより、板部材１１は、板部材１２に対して１８０度より開かないようになっている。
なお、板部材１３も板部材１１と同様の突起部を有している。これにより、板部材１３も、板部材１２に対して１８０度より開かないようにすることができる。
［変形例２］
上記では、重量計計量皿１０は、囲いを有していない。重量計計量皿１０は、囲いを有していてもよい。
図９は、囲いを有した重量計計量皿の斜視図である。図９に示すように重量計計量皿４０は、板部材４１〜４６を有している。
【００４２】
板部材４１，４２は、例えば、図１に示す板部材１１，１２に対応する。すなわち、板部材４１，４２は、水平に展開しかつ折り畳めることができる。例えば、板部材４２は、図９に示す矢印Ａ２１方向に折り畳むことができる。板部材４１，４２は、図２で説明したように、例えば、０度〜１８０度の範囲で開閉する蝶番などの連結部材で連結されている。
【００４３】
板部材４３，４４は、図示していない連結部材によって板部材４１と連結されている。連結部材は、例えば、０度〜９０度の範囲で開閉する蝶番である。これにより、板部材４３，４４は、図９に示す矢印Ａ２２，Ａ２３方向に折り畳むことができる。また、折り畳んだ板部材４３，４４は、矢印Ａ２２，Ａ２３とは逆方向に展開することができる。
【００４４】
板部材４５，４６は、図示していない連結部材によって板部材４２と連結されている。連結部材は、例えば、０度〜９０度の範囲で開閉する蝶番である。これにより、板部材４５，４６は、図９に示す矢印Ａ２４，Ａ２５方向に折り畳むことができる。また、折り畳んだ板部材４５，４６は、矢印Ａ２４，Ａ２５とは逆方向に展開することができる。
図１０は、囲いを形成する板部材を折り畳んだ状態の斜視図である。図１０において、図９と同じものには同じ符号が付してある。
図９に示した板部材４３〜４６を矢印Ａ２２〜Ａ２５方向に折り畳むと、図１０に示すようになる。
図１１は、図１０の板部材をさらに折り畳んだ状態の斜視図である。図１１において、図１０と同じものには同じ符号が付してある。
図１０に示した板部材４２を、板部材４１に対し、矢印Ａ２６方向に折り畳むと、図１１に示すようになる。
このように、重量計計量皿４０は、囲いを設けることもできる。この場合、例えば乳児が、重量計計量皿４０から落下するのを防止することができる。
なお、上記では、囲いは、板部材４１，４２を展開したときの短手方向の縁にしか設けていないが、長手方向の縁に設けてもよい。
［変形例３］
【００４５】
変形例２では、板部材４３〜４６は、連結部材によって９０度より開かないとしたが、板部材４３〜４６の形状によって、９０度より開かないようにすることもできる。
図１２は、囲いを形成する板部材を折り畳んだ状態の一部を示した図である。図１２は、図１０の左側から見た板部材４１，４３の一部を示している。
板部材４１，４３は、連結部材５１によって連結されている。連結部材５１は、例えば、蝶番である。
【００４６】
図１２に示す面Ｓ２１は、板部材４３を板部材４１に対して閉じたとき、板部材４３の板部材４１と接触する側の面を示している。突起部４３ａは、板部材４３の面Ｓ２１の縁から、連結部材５１が取り付けられている板厚面側方向へ突出するように形成されている。
図１３は、囲いを形成する板部材を展開した状態の一部を示した図である。図１３において、図１２と同じものには同じ符号が付してある。
【００４７】
板部材４３を板部材４１に対し、９０度展開すると、突起部４３ａが板部材１２の板厚面に接触する。これにより、板部材４３は、板部材４１に対し、９０度より開かないようになっている。
【００４８】
なお、板部材４４〜４６も板部材４３と同様の突起部を有している。これにより、板部材４４〜４６も、板部材４１，４２に対して９０度より開かないようにすることができる。
【００４９】
図１４は、囲いを形成する板部材を折り畳んだ状態を示した図である。図１４は、図１２の右側から左側方向を見た板部材４１，４３を示している。図１４において、図１２と同じものには同じ符号が付してある。
【００５０】
図１４には、板部材４２，４５の一部も示している。また、図１４には、板部材４１，４２を連結している連結部材５２と、板部材４２，４５を連結している連結部材５３も示している。また、図１４には、板部材４５に形成された突起部４５ａも示している。
【００５１】
板部材４３を板部材４１に対し展開すると、突起部４３ａが板部材４１の板厚面に接触する。これにより、板部材４３は、板部材４１に対し、９０度より開かないようになっている。
【００５２】
板部材４５を板部材４２に対し展開すると、突起部４５ａが板部材４２の板厚面に接触する。これにより、板部材４５は、板部材４２に対し、９０度より開かないようになっている。
また、板部材４２は、連結部材５２によって、図１４に示す矢印Ａ２７方向に折り畳むことができる。
［第２の実施の形態］
次に、第２の実施の形態を、図面を参照して詳細に説明する。第２の実施の形態では、重量計計量皿が伸縮する。
図１５は、第２の実施の形態に係る重量計計量皿の斜視図である。図１５に示すように、重量計計量皿６０は、箱部材６１，６２を有している。
箱部材６１は、側面６１ａ〜６１ｃおよび底面６１ｄを有している。側面６１ａ〜６１ｃは、コの字状に形成されている。
【００５３】
箱部材６２は、側面６２ａ〜６２ｃおよび底面６２ｄを有している。側面６２ａ〜６２ｃは、コの字状に形成されている。箱部材６２は、側面が開口している部分が、箱部材６１の側面が開口している部分と対向するように配置されている。また、箱部材６２は、底面６２ｄが箱部材６２の底面６１ｄと重なるように配置され、箱部材６１に対して伸縮することができる。例えば、箱部材６２は、箱部材６１に対し、図１５に示す矢印Ａ３１方向に伸縮することができる。箱部材６１，６２は、例えば、アクリル板などの樹脂によって形成されている。
なお、図１５では、箱部材６２を、箱部材６１に対して伸ばした状態を示している。
図１６は、重量計計量皿を縮めた状態の斜視図である。図１６において、図１５と同じものには同じ符号が付してある。
【００５４】
重量計計量皿６０は伸ばしたとき、例えば、縦×横×高さが３３ｃｍ×７０ｃｍ×１０ｃｍの大きさを有している。重量計計量皿６０は伸ばしたとき、重量計２０の計量皿２１の上に乗せられ、例えば、乳児などを乗せる計量皿として使用される。
【００５５】
一方、重量計計量皿６０は縮めたとき、横方向の長さが伸ばしたときの長さの約半分となる。例えば、重量計計量皿６０は縮めたとき、縦×横×高さが約３３ｃｍ×３５ｃｍ×１０ｃｍの大きさとなる。重量計計量皿６０は縮めたとき、例えば、重量計２０の上から被せられ、カバーとして使用される。
【００５６】
なお、重量計計量皿６０を縮めたときの大きさは、例えば、図４に示した重量計２０を被せることができる大きさがよい。これにより、重量計２０の持ち運びが容易となる。
【００５７】
図１７は、重量計計量皿の一部平面図である。図１７において、図１５と同じものには同じ符号が付してある。図１７は、箱部材６２を、箱部材６１に対して押し込む前（重量計計量皿６０を縮める前）の一部平面図を示している。
【００５８】
箱部材６２の側面６２ａ，６２ｃは、箱部材６１の側面６１ａ，６１ｃの内側に収まるように形成され、箱部材６２の底面６２ｄは、箱部材６１の底面６１ｄの上面に重なるように形成されている。箱部材６２は、矢印Ａ３２方向に可動することができる。
図１８は、重量計計量皿の一部底面図である。図１８において、図１５と同じものには同じ符号が付してある。
【００５９】
図１８に示すように、箱部材６１は、底面側（図１５の下側から上方向を見た重量計計量皿６０）にガイド６１ｅを有している。また、箱部材６２は、底面側に板部材６２ｅを有している。
【００６０】
図１９は、箱部材の開口した側面側から見た図である。図１９には、図１５に示した箱部材６１の開口した側面側から見た図を示している。図１９において、図１８と同じものには同じ符号が付してある。
図１９に示すように、箱部材６１は、底面側にガイド６１ｅを有している。
図２０は、他方の箱部材の斜視図である。図２０において、図１８と同じものには同じ符号が付してある。
【００６１】
図２０に示すように、箱部材６２は、底面側に凸形状の板部材６２ｅを有している。板部材６２ｅの端部６２ｅａが、図１９に示したガイド６１ｅの隙間に挿入される。これにより、箱部材６２は、箱部材６１に対し、伸縮することができる。
【００６２】
なお、板部材６２ｅが凸形状になっているのは、端部６２ｅａをガイド６１ｅに挿入したとき、ガイド６１ｅと板部材６２ｅの高さを揃えるためである。これにより、重量計計量皿６０を、重量計２０の計量皿２１に安定して取り付けることができる。
【００６３】
例えば、重量計２０の計量皿２１が金属で形成されているとする。また、板部材６２ｅが磁性を有しているとする。この場合、重量計計量皿６０を、重量計２０の有する計量皿２１に安定して取り付けることができる。
【００６４】
図２１は、他方の箱部材の側断面図である。図２１において、図１８と同じものには同じ符号が付してある。図２１に示すように、板部材６２ｅは、箱部材６２の底面と平行となるように形成されている。
【００６５】
このように、重量計計量皿６０は、側面６１ａ〜６１ｃがコの字状に形成された箱部材６１を有する。また、重量計計量皿６０は、側面６２ａ〜６２ｃがコの字状に形成され、底面６２ｄが箱部材６１の底面６１ｄと重なるように箱部材６１に対し伸縮でき、縮めたときは箱部材６１とともに重量計２０の収容部材として使用され、伸ばしたときは箱部材６１とともに重量計２０の計量皿として使用される箱部材６２を有する。これにより、重量計２０の持ち運びが容易となる。
【００６６】
例えば、助産師や保健師は、重量計２０を持ち運ぶとき、図１６に示したように重量計計量皿６０を縮め、重量計２０の上から被せて持ち運ぶことができる。また、助産師や保健師は、乳児の体重を量るとき、図１５に示したように重量計計量皿６０を伸ばして、重量計２０の計量皿２１の上に乗せ、乳児の体重を量ることができる。
また、箱部材６２の底面６２ｄを、磁性を有するようにすることにより、低コストで重量計２０の持ち運びが容易となる。
なお図１６に示した、縮めた状態の重量計計量皿６０に、重量計２０を入れてもよい。
［第３の実施の形態］
次に、第３の実施の形態を、図面を参照して詳細に説明する。第３の実施の形態では、重量計計量皿が開閉する。
【００６７】
図２２は、第３の実施の形態に係る重量計計量皿の斜視図である。図２２に示すように、重量計計量皿７０は、箱部材７１，７２および板部材７３を有している。
【００６８】
箱部材７１，７２は、側面がコの字状に形成されている。箱部材７１は、図示していない連結部材によって、板部材７３と連結されている。箱部材７２は、図示していない連結部材によって、板部材７３と連結されている。
【００６９】
箱部材７１，７２と板部材７３を連結する連結部材は、例えば、蝶番である。利用者は、箱部材７１を、図示していない連結部材によって、図２２の矢印Ａ４１方向に動かすことができる。すなわち、箱部材７１は、箱部材７２に対し、覆い被さることができる。
図２３は、重量計計量皿の閉じる状態を示す側面図である。図２３において、図２２と同じものには同じ符号が付してある。
【００７０】
箱部材７１，７２と板部材７３を連結する連結部材は、箱部材７１，７２が箱部材７１，７２の側面７１ａ，７２ａにおいて開閉するように、箱部材７１，７２と板部材７３とを連結する。すなわち、連結部材は、図２３に示す矢印Ａ４２方向に可動するように、箱部材７１，７２と板部材７３を連結する。
【００７１】
重量計計量皿７０は、側面７１ａ，７２ａを閉じたとき（側面７１ａ，７２ａが重なる状態になったとき）は、重量計２０を収納する収納箱として使用される。また、重量計計量皿７０は、側面７１ａ，７２ａを開いたときは、例えば、乳児などを乗せる重量計２０の計量皿として使用される。
【００７２】
このように、重量計計量皿７０は、箱部材７１，７２を有する。また、重量計計量皿７０は、箱部材７１，７２が側面７１ａ，７２ａにおいて開閉するように、側面７１ａ，７２ａに対向する側面（板部材７３）において、箱部材７１，７２を連結する連結部材を有する。そして、重量計計量皿７０は、側面７１ａ，７２ａを閉じたときは重量計２０を収納する収納箱として使用し、側面７１ａ，７２を開いたときは重量計２０の計量皿として使用する。これにより、重量計２０の持ち運びが容易となる。
また、板部材７３を、磁性を有するようにすることにより、低コストで重量計２０の持ち運びを容易にすることができる。
【００７３】
なお、本件は、上述した実施の形態に限定されるわけではなく、その他種々の変更が可能である。例えば、展開しかつ折り畳みされる板部材の枚数は、上記に限られない。また、板部材を所定の角度で展開しかつ折り畳む仕組みは、上記の蝶番や突起部に限られない。また、箱部材を伸縮させる機構は、上記に限られない。また、本件に、他の任意の構成物や工程が付加されていてもよい。
以上の実施の形態に開示された技術には、以下の付記に示す技術が含まれる。
【００７４】
（付記１）
側面がコの字状に形成された第１の箱部材と、
側面がコの字状に形成され、底面が前記第１の箱部材の底面と重なるように前記第１の箱部材に対し伸縮でき、縮めたときは前記第１の箱部材とともに重量計装置の収容部材として使用され、伸ばしたときは前記第１の箱部材とともに前記重量計装置の計量皿として使用される第２の箱部材と、
を有することを特徴とする重量計計量皿。
【００７５】
（付記２）
上側箱部材と、
下側箱部材と、
前記上側箱部材と前記下側箱部材とが第１の側面において開閉するように、前記第１の側面に対向する第２の側面において前記上側箱部材と前記下側箱部材とを連結する連結部材と、
を備え、
前記第１の側面を閉じたときは重量計装置を収納する収納箱として使用され、前記第１の側面を開いたときは前記重量計装置の計量皿として使用される、
ことを特徴とする重量計計量皿。
【符号の説明】
【００７６】
１１〜１３  板部材
１４，１５  連結部材
２０  重量計
２１  計量皿
【図１】
2014115091.tif 000003
【図２】
2014115091.tif 000004
【図３】
2014115091.tif 000005
【図４】
2014115091.tif 000006
【図５】
2014115091.tif 000007
【図６】
2014115091.tif 000008
【図７】
2014115091.tif 000009
【図８】
2014115091.tif 000010
【図９】
2014115091.tif 000011
【図１０】
2014115091.tif 000012
【図１１】
2014115091.tif 000013
【図１２】
2014115091.tif 000014
【図１３】
2014115091.tif 000015
【図１４】
2014115091.tif 000016
【図１５】
2014115091.tif 000017
【図１６】
2014115091.tif 000018
【図１７】
2014115091.tif 000019
【図１８】
2014115091.tif 000020
【図１９】
2014115091.tif 000021
【図２０】
2014115091.tif 000022
【図２１】
2014115091.tif 000023
【図２２】
2014115091.tif 000024
【図２３】
2014115091.tif 000025
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
重量計の計量皿の上に１または２以上が着脱可能に取り付けられる複数の板部材と、
複数の前記板部材を展開しかつ折り畳めるように連結する連結部材と、を有し、
複数の前記板部材は、展開された状態で前記計量皿の上に取り付けられて乳児が乗せられ、
複数の前記板部材の少なくとも１つは、磁性を帯びており、
前記計量皿は非金属製であり、前記計量皿には金属製の着脱用板部材が接着部材によって取り付けられ、磁性を帯びた前記板部材は、前記着脱用板部材に着脱可能に取りつけられる、
ことを特徴とする重量計計量皿。